(57)【要約】【課題】エネルギー密度が高く、かつ高温及び低温で長期間安定な電解液、及びそれを用いたレドックスフロー電池を提供することを目的とする。【解決手段】水と、バナジウムイオンと、アニオン界面活性剤と、を含む、電解液。【選択図】なし【特許請求の範囲】
【請求項１】
水と、バナジウムイオンと、アニオン界面活性剤と、を含む、電解液。
【請求項２】
前記アニオン界面活性剤が、スルホン酸型界面活性剤、カルボン酸型界面活性剤、硫酸エステル型界面活性剤、及びリン酸エステル型界面活性剤からなる群より選択される少なくとも１種である、請求項１に記載の電解液。
【請求項３】
前記バナジウムイオンのモル濃度が、２．０ｍｏｌ／Ｌを超える、請求項１又は請求項２に記載の電解液。
【請求項４】
前記アニオン界面活性剤のアニオン当量濃度が、前記バナジウムイオンのモル濃度の０．０００１倍以上１倍以下である、請求項１〜３のいずれか一項に記載の電解液。
【請求項５】
前記アニオン界面活性剤の他に、アニオン性物質を少なくとも１種類含む、請求項１〜４のいずれか一項に記載の電解液。
【請求項６】
前記アニオン性物質のモル濃度が、前記バナジウムイオンのモル濃度の１０倍以下である、請求項５に記載の電解液。
【請求項７】
請求項１〜６のいずれか一項に記載の電解液を含む、レドックスフロー電池。
【発明の詳細な説明】
【技術分野】
【０００１】
本発明は、電解液及びそれを用いたレドックスフロー電池に関する。
【背景技術】
【０００２】
近年、世界的に自然由来のエネルギー源への転換が進んでいる。同時に自然由来のエネルギーを一時貯蔵するための大容量蓄電池の必要性が高まっている。大容量蓄電池として必要な安全性と耐久性を兼ね備えた蓄電池として、近年最も有望視されているものがレドックスフロー電池である。
【０００３】
レドックスフロー電池は、隔膜と、隔膜を介して対向する正極電極及び負極電極からなるセルに正極電解液及び負極電解液をそれぞれ供給して充放電を行う。電解液には、酸化還元により価数が変化する金属イオンを活物質として、これを含有する水溶液が一般的に使用されている。例えば、正極電解液に鉄イオン水溶液、負極電解液にクロムイオン水溶液を用いた鉄−クロム系レドックスフロー電池の他、正負極の電解液にバナジウムイオン水溶液を用いたバナジウム系レドックスフロー電池がよく知られている。
【０００４】
ここでレドックスフロー電池の正極電解液と負極電解液の金属イオンは、隔膜を介して微量ながら相互に透過することから、例えば鉄−クロム系レドックスフロー電池など、正極電解液と負極電解液の金属イオンが異なる場合は、電池の容量が低下してしまう。一方、バナジウム系レドックスフロー電池は、正極電解液と負極電解液の金属イオンが等しい為、電池の容量が低下しないという利点があり、レドックスフロー電池の中でも最も重要視されている。
【０００５】
レドックスフロー電池の課題は、エネルギー密度を向上させることである。例えばバナジウム系レドックスフロー電池のエネルギー密度は、リチウムイオン二次電池と比較すると約１／１０、亜鉛−臭素電池と比較すると約１／４である。
【０００６】
レドックスフロー電池のエネルギー密度を向上させる為、例えば特許文献１に挙げるように、正極電解液及び負極電解液中に溶存している金属イオンの濃度を向上させる方法が提案されている。
【先行技術文献】
【特許文献】
【０００７】
【特許文献１】特開平０８−０６４２２３号公報
【発明の概要】
【発明が解決しようとする課題】
【０００８】
しかしながら、電解液中のバナジウムイオン濃度を高めると、電解液中のバナジウムイオンが化合物となって析出するという課題がある。具体的には、５価のバナジウムイオンを含む電解液においては、温度が５０℃程度に上昇した際にバナジウム化合物が電解液中に析出する。また、２価、３価、又は４価のバナジウムイオンを含む電解液においては、温度が−５℃程度に低下した際にバナジウム化合物が電解液中に析出する。
【０００９】
上記のバナジウムイオンの析出を防止するため、例えば特許文献１では、保護コロイド剤やリン酸などを電解液に添加し、析出発生の速度を遅らせている。しかし、特許文献１に記載の手法を用いても、高温状態や、バナジウムイオンの濃度が高い時など、厳しい条件では、バナジウム化合物を析出させずに電解液の安定化を実現することは困難である。
【００１０】
本発明は、上記の問題点に鑑みてなされたものであり、エネルギー密度が高く、かつ高温及び低温で長期間安定な電解液、及びそれを用いたレドックスフロー電池を提供することを目的とする。
【課題を解決するための手段】
【００１１】
本発明者らは、上記目的を達成するために鋭意検討した結果、電解液に特定の界面活性剤を加えることで、上記目的を達成することができることを見出し、本発明を完成した。
【００１２】
すなわち、本発明は、下記のとおりである。
〔１〕
水と、バナジウムイオンと、アニオン界面活性剤と、を含む、電解液。
〔２〕
前記アニオン界面活性剤が、スルホン酸型界面活性剤、カルボン酸型界面活性剤、硫酸エステル型界面活性剤、及びリン酸エステル型界面活性剤からなる群より選択される少なくとも１種である、前項〔１〕に記載の電解液。
〔３〕
前記バナジウムイオンのモル濃度が、２．０ｍｏｌ／Ｌを超える、前項〔１〕又は〔２〕に記載の電解液。
〔４〕
前記アニオン界面活性剤のアニオン当量濃度が、前記バナジウムイオンのモル濃度の０．０００１倍以上１倍以下である、前項〔１〕〜〔３〕のいずれか一項に記載の電解液。
〔５〕
前記アニオン界面活性剤の他に、アニオン性物質を少なくとも１種類含む、前項〔１〕〜〔４〕のいずれか一項に記載の電解液。
〔６〕
前記アニオン性物質のモル濃度が、前記バナジウムイオンのモル濃度の１０倍以下である、前項〔５〕に記載の電解液。
〔７〕
前項〔１〕〜〔６〕のいずれか一項に記載の電解液を含む、レドックスフロー電池。
【発明の効果】
【００１３】
本発明によれば、エネルギー密度が高く、かつ高温及び低温で長期間安定な電解液、及びそれを用いたレドックスフロー電池を提供することができる。
【図面の簡単な説明】
【００１４】
【図１】実施例で用いた電解装置の一例を示す概略図である。
【発明を実施するための形態】
【００１５】
以下、本発明を実施するための形態（以下「本実施の形態」ともいう。）について詳細に説明する。なお、本発明は、以下の実施の形態に限定されるものではなく、その要旨の範囲内で種々変形して実施することができる。
【００１６】
〔電解液〕
本実施の形態に係る電解液は、
水と、バナジウムイオンと、アニオン界面活性剤と、を含む。
【００１７】
〔水〕
本実施の形態において用いられる水としては、特に限定されないが、例えば、蒸留水、イオン交換水を好適に用いることができる。さらに、溶存酸素による酸化の可能性を回避するため、窒素ガスによるバブリングや、真空にて脱気するなどの手段を用い、溶存酸素を減少させた水を用いることが好ましい。
【００１８】
〔バナジウムイオン〕
本実施の形態において用いられるバナジウムイオンのモル濃度は、エネルギー密度を高くする観点から、１．０ｍｏｌ／Ｌ以上であることが好ましく、２．０ｍｏｌ／Ｌを超えることがより好ましく、３．０ｍｏｌ／Ｌ以上であることがさらに好ましい。なお、バナジウムイオンのモル濃度の上限は特に限定されないが、１０．０ｍｏｌ／Ｌ以下が好ましい。なお、本明細書において、バナジウムイオンはバナジルイオンを含む。
【００１９】
本実施の形態に係る電解液中に溶解させるバナジウムイオンの供給源、すなわちバナジウムの原料は、特に限定されないが、水への溶解度が高いという観点から、酸化硫酸バナジウムが好ましい。
【００２０】
〔アニオン界面活性剤〕
本実施の形態において用いられるアニオン界面活性剤は、アニオン性官能基と疎水基とを有する化合物またはその塩からなる界面活性剤である。アニオン界面活性剤のなかでも、アニオン性官能基としてスルホ基を有する化合物又はその塩であるスルホン酸型界面活性剤、アニオン性官能基としてカルボキシ基を有する化合物又はその塩であるカルボン酸型界面活性剤、アニオン性官能基として硫酸エステル基を有する化合物又はその塩である硫酸エステル型界面活性剤、アニオン性官能基としてリン酸エステル基を有する化合物又はその塩であるリン酸エステル型界面活性剤が好ましく、このなかでも、スルホン酸型界面活性剤がより好ましい。このようなアニオン界面活性剤を用いることにより、エネルギー密度がより高く、かつ高温及び低温でより長期間安定な電解液が得られる傾向にある。上記アニオン界面活性剤は、１種を単独で又は２種以上を組み合わせて用いることができる。
【００２１】
本実施の形態において、アニオン界面活性剤のアニオン性官能基にバナジウムイオンが引き寄せられていること、又は結合していることが好ましい。
【００２２】
５価のバナジウムイオンはその強い酸化力により、高温では配位水を酸化する。それが反応の中間生成体となり、最終的に五酸化バナジウムの析出物を発生させる。ここでアニオンが溶液中に存在すると、アニオンの負電荷がバナジウムイオンの正電荷を打ち消す事で酸化力が弱まり、配位水の酸化が起こりにくくなるため、高温でも析出物が発生しにくくなる。同様に、アニオン界面活性剤が溶液中に存在しても、析出物が発生しにくくなる。
【００２３】
一方で２価及び３価及び４価のバナジウムイオンは、バナジウムイオンにアニオンが配位した錯体を溶液中で形成し、低温では錯体同士が凝集して析出物を発生させる。よって、５価のバナジウムを安定化するアニオンは、通常は２価及び３価及び４価のバナジウムイオンの析出物発生防止対策としては不適当である。
【００２４】
アニオン界面活性剤は親水性のアニオン性官能基と、疎水性の部位を有する。アニオン界面活性剤が水溶液中に存在すると、複数の分子により、親水性のアニオン性官能基を外側、疎水性部位を内側にしたミセルを形成する。ここで、アニオン界面活性剤がバナジウムイオンを含む水溶液中に存在すると、バナジウムイオンがアニオン性官能基と結合し、ミセルの外側に固定されるという立体的な障害効果により、バナジウムイオン同士の接触が起こらず、凝集が起こりにくくなるため、低温でも析出物が発生しにくくなる。
【００２５】
このように、アニオン界面活性剤を用いることにより、バナジウムイオン濃度が高い場合でも高温及び低温で長期間安定な電解液を得ることができ、ひいてはエネルギー密度をより向上することができる。
【００２６】
本実施の形態において用いられるアニオン界面活性剤としては、特に限定されないが、例えば、ドデシルベンゼンスルホン酸、アルキレンジスルホン酸、ジアルキルサクシネートスルホン酸、モノアルキルサクシネートスルホン酸、ナフタレンスルホン酸ホルマリン縮合物、ポリオキシエチレン多環フェニルエーテル硫酸エステル、ポリオキシエチレンアリールエーテル硫酸エステル、ポリオキシエチレンアルキルエーテル硫酸エステル、ポリオキシアルキレンアルキルエーテルリン酸エステル、ラウリルリン酸、ラウリル硫酸、ラウリン酸、ポリアクリル酸からなる群、またはこれらの塩より選択される少なくとも１種が好ましい。
【００２７】
本実施の形態において用いられるアニオン界面活性剤としては、特に限定されないが、例えば、プロトン型と塩型とが挙げられる。なお、プロトン型と塩型の片方を単独で、又は、両者を組み合わせて用いることができる。塩型のアニオン界面活性剤としては、特に限定されないが、例えば、ナトリウム、カリウムなどの金属塩やアンモニウム塩が挙げられる。
【００２８】
本実施の形態において用いられるアニオン界面活性剤は、１００ｃＰ以下の粘度を有する水分散体であることが好ましく、１０ｃＰ以下の粘度を有する水分散体であることがより好ましく、１ｃＰ以下の粘度を有する水分散体であることがさらに好ましい。このようなアニオン界面活性剤を用いることにより、電解液の粘度が低下し、送液ポンプの圧力損失が低減できるため、送液ポンプの消費電力を低減できるという観点より優れる傾向にある。なお、粘度は、回転型粘度計により測定することができる。
【００２９】
本実施の形態において用いるアニオン性官能基について説明する。なお。本明細書内では、電解液単位体積当たりに含まれるアニオン界面活性剤のアニオン当量を、「アニオン当量濃度」と呼ぶ。アニオン当量濃度の単位は「Ｅｑ／Ｌ」であり、モル濃度のｍｏｌ／Ｌと同じ次元で表される。なお、アニオン当量濃度は実施例に記載の方法により測定することができる。
【００３０】
本実施の形態において用いられるアニオン界面活性剤のアニオン当量濃度は、バナジウムイオンのモル濃度の１．０倍以下であることが好ましく、０．３倍以下であることがより好ましく、０．１倍以下であることがさらに好ましい。また、アニオン当量濃度は、バナジウムイオンのモル濃度の０．０００１倍以上であることが好ましく、０．０００５倍以上であることがより好ましく、０．００１倍以上であることがさらに好ましく、０．０３倍以上であることがよりさらに好ましい。アニオン当量濃度が上記範囲内であることにより、溶液の粘度を適切な範囲とすることができ、送液ポンプによる消費電力をより削減できる傾向にある。
【００３１】
〔アニオン性物質〕
本実施の形態に係る電解液は、アニオン界面活性剤の他に、アニオン性物質を少なくとも１種類含有することが好ましい。アニオン性物質と、アニオン界面活性剤と、を併用することで、さらに溶液中アニオン濃度を高めることができるため、５価のバナジウムイオンの高温安定性を向上することができるという観点より、優れる傾向にある。
【００３２】
本実施の形態において用いられるアニオン性物質としては、特に限定されないが、例えば、硫酸イオン、リン酸イオン、フッ化物イオン、塩化物イオン、臭化物イオン、ヨウ素イオンのような無機酸イオン；ギ酸イオン、酢酸イオン、クエン酸イオン、シュウ酸イオン、アミノ酸イオン、メタンスルホン酸イオン、安息香酸イオン、サリチル酸イオン、マンデル酸イオンなどの有機酸イオンが挙げられる。このなかでも、硫酸イオンを含むことが好ましい。これらアニオン性物質は、１種を単独で用いても、又は２種以上を組み合わせて用いてもよい。
【００３３】
本実施の形態において用いられるアニオン性物質のモル濃度は、バナジウムイオンのモル濃度の１０倍以下であることが好ましく、５倍以下であることがより好ましく、３倍以下であることがさらに好ましく、２．５倍以下であることがよりさらに好ましく、２倍以下であることがさらにより好ましい。アニオン性物質のモル濃度がバナジウムイオンのモル濃度の１０倍以下であることにより、低温においても２価、３価、及び４価バナジウムイオンがより安定する傾向にある。また、アニオン性物質のモル濃度の下限は、特に限定されないが、バナジウムイオンの０倍以上が好ましく、０．５倍以上であることがより好ましく、０．８倍以上であることがさらに好ましい。
【００３４】
上記のアニオン性物質には、電解液のバナジウムの原料として、バナジウムの塩を用いた場合に、水に溶解した際に発生するアニオンも含めるものとする。このようなケースとして、例えば酸化硫酸バナジウムを用いた場合の硫酸イオンが挙げられる。
【００３５】
〔電解液の調製方法〕
本実施の形態に係る電解液の調製方法としては、特に限定されないが、例えば、上記各成分を所定の温度下、撹拌することで調製することができる。
【００３６】
〔レドックスフロー電池〕
本実施の形態に係るレドックスフロー電池は、上記電解液を含む。本実施形態に係るレドックスフロー電池は、炭素電極からなる正極を含む正極セル室と、炭素電極からなる負極を含む負極セル室と、正極セル室と、負極セル室とを隔離分離させる、隔膜としての電解質膜と、を含む電解槽を有することができる。正極セル室は活物質を含む正極電解液を、負極セル室は活物質を含む負極電解液を含むものである。活物質を含む正極電解液及び負極電解液は、例えば、正極電解液タンク及び負極電解液タンクによって貯蔵され、ポンプ等によって各セル室に供給される。また、レドックスフロー電池によって生じた電流は、交直変換装置を介して、直流から交流に変換されてもよい。
【００３７】
本実施の形態に係るレドックスフロー電池は、正極電解液中に４価若しくは５価のバナジウムイオン、又はその双方の価数のバナジウムイオンが溶存しており、負極電解液に２価若しくは３価のバナジウムイオン、又はその双方の価数のバナジウムイオンが溶存していることが好ましい。電池の充電及び放電が行われるとき、充電時には、正極セル室においては、バナジウムイオンが電子を放出するため４価のバナジウムイオンが５価のバナジウムイオンに酸化され、負極セル室では外路を通じて戻って来た電子により３価のバナジウムイオンが２価のバナジウムイオンに還元される。この酸化還元反応では、正極セル室ではプロトン（Ｈ＋）が過剰になり、一方負極セル室では、プロトン（Ｈ＋）が不足する。隔膜は正極セル室の過剰なプロトンを選択的に負極室に移動させ電気的中性が保たれる。放電時には、この逆の反応が進む。
【００３８】
また、本実施の形態に係るレドックスフロー電池において、バナジウムイオンの価数を除いた溶液の組成が、正極電解液と負極電解液で等しいことが好ましい。これにより、浸透圧により隔膜を透過するイオン量を最小限に抑えることができる。また、電池の充放電や継時変化に伴い、電解液の組成が変化したとしても、元々の正極電解液と負極電解液の組成が等しいため、定期的に正極と負極の液を混合することで、液の組成を元に戻し、充放電や継時変化の影響をリセットすることができる。
【実施例】
【００３９】
以下、本実施の形態を実施例に基づいて具体的に説明するが、本実施の形態は下記実施例に制限されるものではない。
【００４０】
〔アニオン当量濃度の測定方法〕
アニオン当量濃度を、滴定法により定量した。
プロトン型のアニオン界面活性剤の場合、アニオン界面活性剤を純水に溶解し、０．００１ｍｏｌ／Ｌのアニオン界面活性剤溶液を調整した。アニオン界面活性剤溶液を、２５℃、飽和ＮａＣｌ水溶液３０ｍＬと混和し、攪拌しながら３０分間放置した。次いで、飽和ＮａＣｌ水溶液中のプロトンを、フェノールフタレインを指示薬として０．０１Ｎ水酸化ナトリウム水溶液を用いてアニオン界面活性剤溶液を滴定し、アニオン当量濃度を求めた。
塩型のアニオン界面活性剤の場合、塩型アニオン界面活性剤に純水を加えて０．００４ｍｏｌ／Ｌのアニオン界面活性剤溶液を調整した。一方で、塩化ベンゼトニウムに純水を加えて０．０４ｍｏｌ／Ｌ塩化ベンゼトニウム溶液を調整した。０．０４ｍｏｌ／Ｌ塩化ベンゼトニウム溶液を用いてアニオン界面活性剤溶液を滴定し、アニオン当量濃度を求めた。
【００４１】
〔実施例１〕
（４価のバナジウムイオンを含む電解液の調製）
１００ｍＬメスフラスコに、酸化硫酸バナジウム３．５水和物（新興化学工業社製）を６７．８ｇと、ドデシルベンゼンスルホン酸（東京化成工業社製）９．８ｇと、蒸留水（和光純薬工業社製）を加えて、全体量を７０ｍＬとした。撹拌子を加えて、５０℃のウォーターバスで加温しながら３０分撹拌し、溶解させた。次いで、撹拌子を除き、３６Ｎ硫酸（関東化学社製）１６．６ｍＬを加え、蒸留水で全体量を１００ｍＬにメスアップした。以上の手順により、バナジウムイオン濃度が３ｍｏｌ／Ｌ、硫酸イオン濃度が６ｍｏｌ／Ｌでバナジウムイオン濃度の２倍であり、アニオン界面活性剤のアニオン当量濃度が０．３Ｅｑ／Ｌでバナジウムイオン濃度の０．１倍である、４価のバナジウムイオンを含む電解液１００ｍＬを得た。
【００４２】
（５価のバナジウムイオンを含む電解液の調製）
上記と同様の作業を行うことで、４価のバナジウムイオンを含む電解液１００ｍＬを得た。それを下記の方法で電解を行い、３価のバナジウムイオンを含む電解液と５価のバナジウムイオンを含む電解液を得た。
【００４３】
（電解方法）
電解条件に詳細に説明する。図１に電解装置の概略図を示す。電解装置は炭素電極からなる正極を含む正極セル室と、炭素電極からなる負極を含む負極セル室と、正極セル室と、負極セル室とを隔離分離させる、隔膜としての電解質膜と、を含むセル１を有する。以下、正極セル室に含まれる電解液を正極電解液、負極セル室に含まれる電解液を負極電解液とする。正極電解液及び負極電解液は、正極電解液タンク２及び負極電解液タンク３によって貯蔵され、送液チューブポンプ４等によって送液チューブ５を介して各セル室に供給される。
【００４４】
電解装置の正極電解液タンク２と、負極電解液タンク３に、４価のバナジウムイオンを含む電解液を５０ｍＬずつ供給した。セル１の正極と負極間の電位差をモニタしながら、セル１に定電流５０ｍＡ／ｃｍ２を通電し、負極電解液中のバナジウムイオンの４価から３価への還元と、正極電解液中のバナジウムイオンの４価から５価への酸化を行った。電解中、正極及び負極の電解液は送液チューブポンプ４にて５０ｍＬ／ｍｉｎにて送液チューブ５を介して送液し、正極電解液タンク２及び負極電解液タンク３中には窒素を１０ｍＬ／ｍｉｎでフローさせた。セル１の正極と負極間の電位差が約１．７Ｖ程度になった時点で、液の色を目視で確認すると、負極は濃緑色、正極は赤茶色であった。その時点で正極液を採取し、正極側の電解液から５価のバナジウムイオンを含む電解液を得た。
【００４５】
（析出試験）
（４価のバナジウムイオンを含む電解液）
５０ｍＬポリプロピレン製容器内に４価のバナジウムイオンを含む電解液を１０ｍＬ入れ、−５℃に保持した冷却槽内に６０分間静置し、液中の青色の粉もしくは結晶状の析出物発生の有無を調べた。析出物は発生しなかった。その結果を表１に示す。なお、表１では、析出物が発生しなかった場合を○で表し、析出物が発生した場合を×で表す（以下同じ）。
【００４６】
（５価のバナジウムイオンを含む電解液）
５０ｍＬポリプロピレン製容器内に５価のバナジウムイオンを含む電解液を１０ｍＬ入れ、ウォーターバスにて５０℃で６０分間加温し、赤茶色の粉状の析出物発生の有無を調べた。析出物は発生しなかった。その結果を表１に示す。なお、表１では、析出物が発生しなかった場合を○で表し、析出物が発生した場合を×で表す（以下同じ）。
【００４７】
〔実施例２〕
ドデシルベンゼンスルホン酸９．８ｇの代わりに、ドデシルベンゼンスルホン酸ナトリウム（和光純薬工業社製）１０．５ｇを加えた以外は、実施例１と同様の方法で４価および５価のバナジウムイオンを含む電解液を調整した。４価および５価のバナジウムイオンを含む電解液の析出試験の結果、どちらも析出物は発生しなかった。その結果を表１に示す。
【００４８】
〔実施例３〕
ドデシルベンゼンスルホン酸９．８ｇの代わりに、ラウリルリン酸（ＢＯＣ  Ｓｃｉｅｎｃｅｓ社製）８．０ｇを加えた以外は、実施例１と同様の方法で４価および５価のバナジウムイオンを含む電解液を調整した。４価および５価のバナジウムイオンを含む電解液の析出試験の結果、どちらも析出物は発生しなかった。その結果を表１に示す。
【００４９】
〔実施例４〕
ドデシルベンゼンスルホン酸９．８ｇの代わりに、ラウリル硫酸ナトリウム（関東化学社製）８．６ｇを加えた以外は、実施例１と同様の方法で４価および５価のバナジウムイオンを含む電解液を調整した。４価および５価のバナジウムイオンを含む電解液の析出試験の結果、どちらも析出物は発生しなかった。その結果を表１に示す。
【００５０】
〔実施例５〕
ドデシルベンゼンスルホン酸９．８ｇの代わりに、ラウリン酸（東京化成工業社製）６．０ｇを加えた以外は、実施例１と同様の方法で４価および５価のバナジウムイオンを含む電解液を調整した。４価および５価のバナジウムイオンを含む電解液の析出試験の結果、どちらも析出物は発生しなかった。その結果を表１に示す。
【００５１】
〔実施例６〕
３６Ｎ硫酸１６．６ｍＬの代わりに、３６Ｎ硫酸８．３ｍＬと１２Ｎ塩酸１２．５ｍＬを加えた以外は、実施例１と同様の方法で４価および５価のバナジウムイオンを含む電解液を調整した。４価および５価のバナジウムイオンを含む電解液の析出試験の結果、どちらも析出物は発生しなかった。その結果を表１に示す。
【００５２】
〔実施例７〕
ドデシルベンゼンスルホン酸９．８ｇの代わりに、ドデシルベンゼンスルホン酸３．３ｇを加えた以外は、実施例６と同様の方法で４価および５価のバナジウムイオンを含む電解液を調整した。４価および５価のバナジウムイオンを含む電解液の析出試験の結果、どちらも析出物は発生しなかった。その結果を表１に示す。
【００５３】
〔比較例１〕
ドデシルベンゼンスルホン酸９．８ｇを加えない以外は、実施例１と同様の方法で４価および５価のバナジウムイオンを含む電解液を調整した。４価のバナジウムイオンを含む電解液の析出試験の結果、析出物が発生した。一方、５価のバナジウムイオンを含む電解液の析出試験の結果、析出物は発生しなかった。その結果を表１に示す。
【００５４】
〔比較例２〕
ドデシルベンゼンスルホン酸９．８ｇおよび３６Ｎ硫酸１６．６ｍＬを加えない以外は、実施例１と同様の方法で４価および５価のバナジウムイオンを含む電解液を調整した。４価のバナジウムイオンを含む電解液の析出試験の結果、析出物は発生しなかった。一方、５価のバナジウムイオンを含む電解液の析出試験の結果、析出物が発生した。その結果を表１に示す。
【００５５】
実施例１〜７及び比較例１、２の結果から明らかなように、アニオン界面活性剤を添加することで、バナジウムイオン濃度が３ｍｏｌ／Ｌという高い水準において、４価と５価両方のバナジウム析出物の発生を抑制することができることが確認された。
【００５６】
バナジウム系レドックスフロー電池のエネルギー容量は、バナジウムイオンのモル数に比例する。電解液中のバナジウムイオン濃度が高ければ、体積当たりのバナジウムイオンのモル数が増加するため、エネルギー密度が高いといえる。これにより、本発明に係るアニオン界面活性剤を用いることにより、高いエネルギー密度のバナジウム系レドックスフロー電池が得られることが示された。
【００５７】
【表１】
2014235946.tif 000002
【産業上の利用可能性】
【００５８】
本発明に係る電解液は、バナジウム系レドックスフロー電池の電解液として産業上の利用可能性を有する。
【符号の説明】
【００５９】
１：セル
２：正極電解液タンク
３：負極電解液タンク
４：送液チューブポンプ
５：送液チューブ
【図１】
2014235946.tif 000003